(57)【要約】【課題】掲示物の内容や掲示する周りの空間に合うように、枠の隅部の形を様々に変更できる枠を提供すること。【解決手段】複数の枠部材２と、枠部材２よりも長さが短く、枠部材２の端部同士が交差して係合される隅連結部材３とを有する。隅連結部材３は、該隅連結部材の隅部に対して着脱自在に係合されることで、該隅連結部材の外側において枠角部を形成するコーナー部材４を備える。【選択図】        図８
2005000217.tif 000002
【特許請求の範囲】
【請求項１】
複数の枠部材と、前記枠部材よりも長さが短く、前記枠部材の端部同士が交差して係合される隅連結部材とを有する枠において、前記隅連結部材の隅部に対して着脱自在に係合されることで、該隅連結部材の外側において枠角部を形成するコーナー部材を備えたことを特徴とする枠。
【請求項２】
前記隅連結部材は、その上面に、被掲示物に対して張力を与えるための引張部材の一端を掛け止めるための掛止用突起を備えたことを特徴とする請求項１に記載の枠。
【発明の詳細な説明】
【０００１】
【発明の属する技術分野】
本発明は、例えば、額縁、ポスター等の掲示用の枠に関する。
【０００２】
【従来の技術】
従来、２本ずつの長さが等しい４本の長い枠部材と、該枠部材よりも短く、外側角部を形成するための交叉する側面を有し、その側面に枠部材の端部が角度をつけて係合される４個の隅連結部材とからなり、枠部材はその長手方向軸線のまわりに回動可能であり、枠部材の内周面の前部から内側に向けて、被掲示物の周縁前面に係合する前面係合部を張り出すと共に、内周面の中間部から内側に向けて、先端が後方へ曲がる１個の中仕切を張り出し、該中仕切りに、隅連結部材に係合して、枠部材の前端が外周方向へ回動した開放位置及び内周方向へ回動した閉鎖位置において、それぞれ枠部材を隅連結部材に対して固定する回動係止部を設けた枠が公知である（例えば、特許文献１参照）。
【０００３】
しかしながら、従来の枠においては、隅連結部材がその隅部の２つの外側面が互いに直交して連接する形状であって、隅連結部材を枠部材で覆って枠の隅部を形成する構成であるため、平面視において、枠の隅部の形状が直角をなすものに決まってしまうことになるので、この枠が掲示物の内容や掲示する周りの空間にマッチングしない印象を与えるような場合、枠の隅部の形を変えたくても変更できなかった。
【０００４】
【特許文献１】
特許掲載公報第２９４８７６５号（特許請求の範囲、図２、図８）
【０００５】
【発明が解決しようとする課題】
本発明の目的は、掲示物の内容や掲示する周りの空間に合うように、枠の隅部の形を様々に変更できる枠を提供することにある。
【０００６】
【課題を解決するための手段】
請求項１に記載の枠は、複数の枠部材と、前記枠部材よりも長さが短く、前記枠部材の端部同士が交差して係合される隅連結部材とを有するものであって、上記課題を解決するために、前記隅連結部材の隅部に対して着脱自在に係合されることで、該隅連結部材の外側において枠角部を形成するコーナー部材を備えたことを特徴とする。
【０００７】
請求項２に記載の枠は、請求項１に記載のものにおいて、前記隅連結部材が、その上面に、被掲示物に対して張力を与えるための引張部材の一端を掛け止めるための掛止用突起を備えたことを特徴とするものである。
【０００８】
【発明の実施の形態】
以下、本発明の実施の形態を図面を参照して説明する。図１は、本発明の実施形態に係る枠の平面図である。図１に示すように、本発明の実施形態に係る掲示用の枠１は、２本ずつの長さが等しい４本の枠部材２，２，２，２と、枠部材２よりも長さが短く、枠部材２，２の端部同士が交差して係合される４個の隅連結部材３，３，３，３とを有し、隅連結部材３，３，３，３の隅部に対して上方から着脱自在に係合されることで、該隅連結部材３，３，３，３の外側において枠角部を形成するコーナー部材４，４，４，４を備えてなる。
【０００９】
図２は枠部材２の端部を裏面下方から眺めて示す斜視図である。枠部材２は、概略として、該枠部材２を隅連結部材３に係合させて枠１を組み立てた状態において、枠１の前面となる前板部５と枠１の側面となる側板部６とを有し、側板部６は前板部５に対して略直角をなして形成されている。なお、図２では、枠１の内側に向く前板部５の先端を右に、枠１の外側に向く前板部５の基端（枠１の側部となる側板部６）を左にした姿勢で枠部材２を図示している。
【００１０】
前板部５の先端縁は枠１の内側縁となる部分であり、前板部５の先端縁裏面には、下方外側に突出した前面支持部７が設けられている。なお、この前面支持部７は、被掲示物（図示せず）の周縁前面に当接して被掲示物を支持する。前板部５の基端寄りから下方内側に向けて張り出すと共に、上方に凸に湾曲した張出湾曲部８が形成され、枠１の内側に向く張出湾曲部８の先端外面には、側板部６に平行な平面をなす仕切板部９が形成されている。また、枠１の外側に向く張出湾曲部８の先端部内面には、弧状に突出した回動係止部１０が形成されている。なお、この回動係止部１０は、隅連結部材３との係合に関わるものである。
【００１１】
側板部６の下端には、枠１の内側に向けて突出して突条部１１が形成され、突条部１１の下面には、枠１の内側に向けて円弧状に突出して回動支持部１２が形成されると共に、回動支持部１２の内面によって円弧凹状の受部１３が形成されている。なお、受部１３は、該枠部材２を隅連結部材３に係合させるに際して、枠部材２を隅連結部材３に対して回動させる際に、回動中心となるものである。また、隅連結部材３に対して枠部材２，２の端部同士を直交させて連結した状態において（図１参照）、隣接する枠部材２の前板部５同士が馴染むように、前板部５の両端部には、枠１の内側に向く先端の角が略４５度の角度で切欠されて形成された面取り部１４が設けられている。なお、前述した前面支持部７、張出湾曲部８、仕切板部９、回動係止部１０、突条部１１、回動支持部１２及び受部１３の各要素は、枠部材２の長手方向に連続して形成されているものである。
【００１２】
図３は、図１に図示した枠部材２，２の端部同士を直交させて連結する隅連結部材３を上方から眺めて示す斜視図である。また、図４は、隅連結部材３の平面図である。隅連結部材３は、概略として、隅連結部材３の底面部分を構成する補強板１５と、枠部材２よりも長さが短かく、外側隅部を形成するための互いに直交する２つの外側面１６，１６とを備える。また、隅連結部材３は、平面視にあって、その隅部において互いに直交する２つの外側面に対して斜め（略４５度）に交差する隅部平面１７が形成されている。
【００１３】
また、隅連結部材３は、互いに直交する２つ外側面１６，１６の各々に対して、外側面１６の上端と補強板１５の外側縁とを連結すると共に、枠１の内側に凸に湾曲する回動摺擦面１８が形成されている。また、回動摺擦面１８の上端部には、それぞれ突条によって回動停止部１９が設けられ、回動摺擦面１８の下端寄りの一部を切り起こして形成した回動係合部２０が設けられている。また、回動摺擦面１８の内方には、補強板１５から垂直に立ち上がるコーナーガイド板２１，２１がそれぞれ形成されている。各コーナーガイド板２１，２１は、２つの外側面１６，１６にそれぞれ平行であって、隅連結部材３の隅部の近傍において、互いに直交して接続する。なお、コーナーガイド板２１，２１は掲示物の角をガイドするためのものである。
【００１４】
また、コーナーガイド板２１，２１の直交接続部分の上部には、柱状の先端部分を該隅連結部材３の隅に向けて突出させた掛止用突起２２が設けられている。該掛止用突起２２は、被掲示物に対して張力を与えるための引張部材（例えば、輪ゴムやバネ）２３の一端を掛け止めるためのものであり、前記引張部材２３の他端を被掲示物の裏面に固定することで、被係止物を枠の隅部に向けて引っ張る。また、掛止用突起２２の基部側方のコーナーガイド板２１，２１の上端部には、矩形状に切り欠かれた逃げ部２４，２４が形成されている。該逃げ部２４，２４は、掛止用突起２２に掛け止めた引張部材（例えば、輪ゴム）２３を厚み方向において被掲示物に干渉しないように逃がすものである。
【００１５】
２つの外側面１６，１６には、隅部平面１７寄りに、上下方向に向く係合溝２５，２５がそれぞれ設けられている。また、各回動摺擦面１８，１８には、各係合溝２５，２５に対してそれぞれ枠１の内側方向となる位置に係合孔２６，２６がそれぞれ設けられている。これら係合溝２５及び係合孔２６には、該隅連結部材３の外側において枠角部を形成するコーナー部材４が、上方から着脱自在に係合される。なお、符号４０は、補強板１５に設けた壁面固定用の孔である。
【００１６】
図５は、コーナー部材４を上方から眺めて示す斜視図であり、図６は、コーナー部材４を上方から眺めて示す別の斜視図である。また、図７は、隅連結部材３に対するコーナー部材４の取り付け状態を示す図４のＡ−Ａ線で破断した断面図、図８は、隅連結部材３に対するコーナー部材４の取り付けを示す斜視図である。コーナー部材４は、該コーナー部材４を隅連結部材３の隅部に取り付けた状態において、隣接する互いに直交する枠部材２の前板部５と略面一となる上面部２７と、互いに直交する枠部材２の側板部６と略面一となる２つの側面部２８，２８と、上面部２７及び２つの側面部２８，２８に連接され、２つの側面部２８，２８の間において、隅連結部材３の外側において実質的に枠角部の外形を形成するコーナー面部２９とを備える（図６参照）。
【００１７】
枠部材２の側板部６と隣接される２つの側面部２８，２８の端縁の裏面には、枠１の内側に向けて伸び出す位置決め用のガイド板部３０，３０が上下方向にそれぞれ形成され、ガイド板部３０，３０から枠１の内側方向に所定の間隔を開けた位置に、上面部２７から下方に向けて伸び出す係止片３１，３１がそれぞれ形成され、係止片３１，３１の先端外面には爪部３２，３２が形成されている（図５参照）。また、係止片３１，３１に沿って誘導突起３３，３３がそれぞれ設けられている。該誘導突起３３，３３は、コーナー部材４を隅連結部材３に取り付ける際に、隅連結部材３の回動摺擦面１８，１８に当接して係止片３１，３１を隅連結部材３の係合孔２６，２６に送り込む働きをする。
【００１８】
枠１の組立ては、枠部材２の受部１３に、隅連結部材３の外側面１６の下端が支持されるように、かつ枠部材２の回動係止部１０と受部１３との間の空間に隅連結部材３の回動停止部１９が入り込むように、枠部材２を隅連結部材３に対して横方向から枠部材２を押し込んで挿嵌する。そして、枠部材２の受部１３を回動中心として、枠部材２を隅連結部材３に対して枠１の内側方向に回動させ、枠部材２を隅連結部材３に対して押し込むと、枠部材２の回動係止部１０が隅連結部材３の回動係合部２０に係合され、枠部材２を隅連結部材３に対して組み付けることができる。なお、この点に関しては、特公平７−８７８１３号公報及び特許掲載公報第２９４８７６５号で開示されているように公知の技術であるので詳細な説明を省くことにする。
【００１９】
隅連結部材３に対するコーナー部材４の取り付けは、隅連結部材３の上方からコーナー部材４の２つのガイド板部３０，３０の下端を隅連結部材３の係合溝２５，２５に挿入すると、コーナー部材４が隅連結部材３に対して位置決めされると共に、コーナー部材４の係止片３１，３１の先端が隅連結部材３の係合孔２６，２６に入り込む。そして、コーナー部材４を下方に押し込むと、係止片３１，３１の各爪部３２，３２が隅連結部材３の係合孔２６，２６の下端に引っ掛かってコーナー部材４が隅連結部材３に係止される。図４に示すように、コーナー部材４の上面部２７の枠１の内側中心方向に向く隅部が、隅連結部材３に設けた掛止用突起２２の上面に当接して重なり、図３に示す引張部材２３の上方への外れ止めがなされる。
【００２０】
なお、コーナー部材４の隅連結部材３からの取り外しは、工具等により爪部３２を図７の矢印方向に押圧することで、爪部３２と係合孔２６の下端との係合を外すことでコーナー部材４を取り外すことができる。
【００２１】
図５に示す実施形態では、コーナー部材４のコーナー面部２９の形状を平面とし、図９（ａ）のように、枠角部が面取りされた形となるようにしているが、図９に示すようにコーナー面部２９の形状を代えたコーナー部材４を複数種類用意してコーナー部材４を取り代えることで、枠１の角を様々に変更することができる。例えば、図９（ｂ）或いは図９（ｄ）に示すように、コーナー面部２９の形状を平面視で丸みを有した曲面とすると、枠１が角張らず優しい印象を与えるものとすることができ、又、図９（ｃ）に示すように、平面視でコーナー面部２９の形状を直交する２つの平面とすると、シャープな印象を与えるものとすることができる。このように、コーナー部材４を交換することで、掲示物の内容や掲示する周りの空間に合うように枠１の角を変更することができる。
【００２２】
【発明の効果】
請求項１に記載の構成によれば、複数の枠部材と、枠部材よりも長さが短く、枠部材の端部同士が交差して係合される隅連結部材とを有する枠において、隅連結部材の隅部に対して着脱自在に係合されることで、該隅連結部材の外側において枠角部を形成するコーナー部材を備えたので、コーナー部材を取り替えることによって、掲示物の内容や掲示する周りの空間に合うように、枠の隅部の形を様々に変更することができる。
【００２３】
請求項２に記載の構成によれば、隅連結部材が、その上面に、被掲示物に対して張力を与えるための引張部材の一端を掛け止めるための掛止用突起を備えているので、複雑な構成によらず被掲示物を引っ張ることができることになるため、構造も簡単で済むと共に製品コストも安価にすることができる。
【図面の簡単な説明】
【図１】本発明の実施形態に係る枠の平面図
【図２】同実施形態の枠部材の端部を裏面下方から眺めて示す斜視図
【図３】同実施形態の隅連結部材を示す斜視図
【図４】同実施形態の隅連結部材の平面図
【図５】同実施形態のコーナー部材を示す斜視図
【図６】同実施形態のコーナー部材を示す別の斜視図
【図７】隅連結部材に対するコーナー部材の取り付け状態を示す図４のＡ−Ａ線で破断した断面図
【図８】隅連結部材に対するコーナー部材の取り付けを示す斜視図
【図９】実施形態における交換可能なコーナー部材の形状例を示す図
【符号の説明】
１  枠
２  枠部材
３  隅連結部材
４  コーナー部材
５  前板部
６  側板部
７  前面支持部
８  張出湾曲部
９  仕切板部
１０  回動係止部
１１  突条部
１２  回動支持部
１３  受部
１４  面取り部
１５  補強板
１６  外側面
１７  隅部平面
１８  回動摺擦面
１９  回動停止部
２０  回動係合部
２１  コーナーガイド板
２２  掛止用突起
２３  引張部材
２４  逃げ部
２５  係合溝
２６  係合孔
２７  上面部
２８  側面部
２９  コーナー面部
３０  ガイド板部
３１  係止片
３２  爪部
３３  誘導突起
４０  壁面固定用孔
【図１】
2005000217.tif 000003
【図２】
2005000217.tif 000004
【図３】
2005000217.tif 000005
【図４】
2005000217.tif 000006
【図５】
2005000217.tif 000007
【図６】
2005000217.tif 000008
【図７】
2005000217.tif 000009
【図８】
2005000217.tif 000010
【図９】
2005000217.tif 000011